(57)【特許請求の範囲】
【請求項１】
入力された外来信号の同調をとって、それぞれに割り当てられた所定の周波数帯域のＩＦ信号に変換する複数のスーパーヘテロダイン同調器と、
前記各スーパーヘテロダイン同調器に対応して用意されて、対応付けられた前記スーパーヘテロダイン同調器からのＩＦ信号を狭帯域で周波数掃引し、検波、増幅を行って振幅信号として出力する複数の掃引検波増幅器と、
前記スーパーヘテロダイン同調器と掃引検波増幅器とを統合化して一括制御する制御器と、
前記掃引検波増幅器の出力する振幅信号を分析し、その分析結果を指示器に表示するための表示化処理を、その分析結果に対して施す分析表示処理器とを備え、
対応付けられた前記掃引検波増幅器の出力する振幅信号のレベルが、掃引時に目標検出レベル以上となる周波数値を検出し、それに基づく周波数データを制御器に入力する周波数検出器を、各掃引検波増幅器のそれぞれに対応して設け、
前記制御器が、目標として探知された各信号それぞれの周波数を中心とした周波数掃引を、前記各周波数検出器からの周波数データに基づいて行うように、各スーパーヘテロダイン同調器および各掃引検波増幅器を統合化して一括制御するものであることを特徴とする受信装置。
【発明の詳細な説明】
【０００１】
【発明の属する技術分野】
この発明は、外来電波を受信探知し、その周波数分析を行う受信装置に関するものである。
【０００２】
【従来の技術】
図９は従来の受信装置を示すブロック図である。図において、１は受信装置であり、２はその空中線、３は指示器である。受信装置１内において、１１はスーパーヘテロダイン同調器、１２はＩＦ信号、１３は掃引検波増幅器、１４は振幅信号であり、１５はチャネライザ受信機、１６は分析表示処理器である。また、スーパーヘテロダイン同調器１１内において、２１は周波数同調発振器、２２はミキサ、２３は周波数フィルタである。掃引検波増幅器１３内において、３１は周波数掃引発振器、３２はミキサ、３３は狭帯域周波数フィルタ、３４は増幅器、３５は検波器である。チャネライザ受信機１５内において、４１はＳＡＷ（Ｓｕｒｆａｃｅ  Ａｃｏｕｓｔｉｃ  Ｗａｖｅ）帯域フィルタによるＳＡＷフィルタバンクであり、４２は検波器、４３は周波数検出器である。
【０００３】
次に動作について説明する。
図９に示すように構成された従来の受信装置は、外来電波を受信し、目標として探知、分析する。すなわち、外来の電波は空中線２にて受信され、スーパーヘテロダイン同調器１１に入力される。スーパーヘテロダイン同調器１１ではその受信した外来電波をミキサ２２に送り、周波数同調発振器２１の発振する同調信号と混合して同調させ、それを周波数フィルタ２３でフィルタリングして、広帯域の周波数帯域幅のＩＦ信号１２として出力する。このスーパーヘテロダイン同調器１１より出力されたＩＦ信号１２は、掃引検波増幅器１３およひチャネライザ受信機１５に入力される。
【０００４】
掃引検波増幅器１３では入力されたＩＦ信号１２をミキサ３２に送り、周波数掃引発振器３１の出力する掃引信号と混合することによって高速に周波数掃引同調し、それを狭帯域周波数フィルタ３３でフィルタリングして出力する。この狭帯域周波数フィルタ３３の出力信号を増幅器３４で増幅した後、検波器３５によって検波し、検波ビデオとして振幅信号１４を分析表示処理器１６に出力する。分析表示処理器１６はこの入力された振幅信号１４について、横軸を掃引した周波数、縦軸を信号振幅とする表示化の処理を行い、指示器３に周波数スペクトラム分析表示させる。
【０００５】
スーパーヘテロダイン同調器１１より出力されたＩＦ信号１２は、周波数値の検出のためチャネライザ受信機１５にも入力される。チャネライザ受信機１５では入力されたＩＦ信号１２をＳＡＷフィルタバンク４１に入力する。ＳＡＷフィルタバンク４１はチャネル数に等しい数のＳＡＷ帯域フィルタを備えており、入力されたＩＦ信号１２を周波数チャンネル分の信号に分配し、各周波数チャネル毎の検波器４２に入力してそれぞれ検波する。各検波器４２によって検波された振幅信号は周波数検出器４３に入力され、探知された信号の周波数が検出される。検出された周波数は分析表示処理器１６に送られて表示化の処理が行われ、指示器３に表示される。
【０００６】
なお、このような従来の受信装置に関する記載がある文献としては、例えば特開平１−１９７６８３号公報、特開平２−６４４８４号公報、実開昭５６−８３３３号公報などがある。
【０００７】
【発明が解決しようとする課題】
従来の受信装置は以上のように構成されているので、広帯域の周波数帯域を受信する場合、スーパーヘテロダイン同調器１１の出力するＩＦ信号１２の周波数帯域幅（周波数フィルタ２３の帯域幅）が、掃引検波増幅器１３における狭帯域による周波数掃引の幅の限界である。また、パルス繰り返し周期（ＰＲＩ）が長い電波を対象とする場合、広帯域での掃引では掃引時間が長くなり、受信検出頻度が下がって、探知分析できない場合がある。また、チャネライザ受信機系で広帯域の周波数帯域を瞬時に受信検出して周波数を求めることができるがこの系では、十分な受信感度が得られないなどの課題があった。
【０００８】
この発明は上記のような課題を解消するためになされたもので、外来電波を広帯域の周波数にわたり、高感度で受信して目標を探知し、その周波数スペクトラムを分析表示できる受信装置を得ることを目的とする。
【０００９】
【課題を解決するための手段】
この発明に係る受信装置は、各周波数検出器からの周波数データを制御器に入力して、目標として探知された各信号それぞれの周波数を中心とした狭帯域の周波数掃引を、その周波数データに基づいて制御するようにしたものである。
【００１３】
【発明の実施の形態】
以下、この発明の実施の一形態を説明する。
参考例１．
図１はこの発明の参考例１による受信装置を示すブロック図である。図において、１は外来電波を受信し、目標として探知し、分析するこの参考例１による受信装置である。２は受信装置１に接続されて、外来電波を受信する空中線であり、３は受信装置１に接続されて、受信装置１による分析結果を表示する指示器である。
【００１４】
受信装置１内において、１１−１，１１−２，…，１１−ｎはそれぞれ、入力された外来信号の同調をとって所定の中間周波数に変換するｎ個のスーパーヘテロダイン同調器であり、１２は各スーパーヘテロダイン同調器１１より出力されるＩＦ信号である。１３−１，１３−２，…，１３−ｎは各スーパーヘテロダイン同調器１１−１〜１１−ｎに対応して用意され、各スーパーヘテロダイン同調器１１−１〜１１−ｎが出力するＩＦ信号１２を狭帯域で高速に周波数掃引するｎ個の掃引検波増幅器であり、１４は各掃引検波増幅器１３−１〜１３−ｎより出力される振幅信号である。１６は各掃引検波増幅器１３−１〜１３−ｎから出力された振幅信号１４を分析し、表示化の処理を施して、指示器３にこの受信装置１の出力を表示する分析表示処理器である。１７はｎ系統の受信系（ｎ個のスーパーヘテロダイン同調器１１−１〜１１−ｎ、およびｎ個の掃引検波増幅器１３−１〜１３−ｎ）を統合して一括制御する制御器である。
【００１５】
また、スーパーヘテロダイン同調器１１−１〜１１−ｎ内において、２１は周波数同調を行うための同調信号を発振する周波数同調発振器であり、２２は空中線２で受信された外来電波をこの周波数同調発振器２１からの同調信号と混合するミキサである。２３はこのミキサ２２の出力に広帯域のフィルタリングを施して、ＩＦ信号１２に変換し、それを対応する掃引検波増幅器１３−１〜１３−ｎに出力する周波数フィルタである。
【００１６】
掃引検波増幅器１３−１〜１３−ｎ内において、３１は周波数掃引同調を行うための掃引信号を発振する周波数掃引発振器であり、３２は対応するスーパーヘテロダイン同調器１１−１〜１１−ｎより出力されたＩＦ信号１２を、この周波数掃引発振器３１からの掃引信号と混合するミキサである。３３はこのミキサ３２の出力に狭帯域のフィルタリングを施す狭帯域周波数フィルタであり、３４はこの狭帯域周波数フィルタ３３の出力信号を増幅する増幅器である。３５はこの増幅器３４で増幅された信号の検波を行い、それを振幅信号１４として分析表示処理器１６に出力する検波器である。
【００１７】
次に動作について説明する。
ここで、図２はこの参考例１の受信装置１に接続された指示器３に表示される周波数分析表示例を示す説明図である。この図２において、横軸は周波数であり、縦軸はレベルである。以下、この図２、および上記図１を参照しながら参考例１による受信装置１の動作を説明する。
【００１８】
空中線２にて受信された外来の電波は受信装置１に送られ、スーパーヘテロダイン同調器１１−１〜１１−ｎのそれぞれに入力される。ここで、受信分析したい周波数帯域ｆ1 〜ｆn+1 を、ｎ系統の受信系で分担して受信するために、それらｎ系統の受信系の各スーパーヘテロダイン同調器１１−１〜１１−ｎ、および掃引検波増幅器１３−１〜１３−ｎには、それぞれ分担する周波数帯域の中心周波数ｆc1〜ｆcnが制御器１７より指示されている。すなわち、ｆ1 〜ｆ2 までの周波数帯域を分担する＃１のスーパーヘテロダイン同調器１１−１と掃引検波増幅器１３−１には中心周波数ｆc1が、ｆ2 〜ｆ3 までの周波数帯域を分担する＃２のスーパーヘテロダイン同調器１１−２と掃引検波増幅器１３−２には中心周波数ｆc2が、…、ｆn 〜ｆn+1 までの周波数帯域を分担する＃ｎのスーパーヘテロダイン同調器１１−ｎと掃引検波増幅器１３−ｎには中心周波数ｆcnがそれぞれ指示されている。
【００１９】
各受信系のスーパーヘテロダイン同調器１１−１〜１１−ｎでは、空中線２によって受信された外来電波をミキサ２２に送るとともに、上記制御器１７からの制御信号によって指示された中心周波数ｆc1〜ｆcnに基づいて周波数同調発振器２１が発振した同調信号をミキサ２２に送る。ミキサ２２はこれらの外来電波と同調信号とを混合して同調させ、このミキサ２２の出力を周波数フィルタ２３に送る。周波数フィルタ２３はこのミキサ２２の出力のフィルタリングを行い、広帯域の周波数帯域幅のＩＦ信号１２として対応する掃引検波増幅器１３−１〜１３−ｎに出力する。
【００２０】
各受信系の掃引検波増幅器１３−１〜１３−ｎでは、対応するスーパーヘテロダイン同調器１１−１〜１１−ｎから入力されたＩＦ信号をミキサ３２に送るとともに、上記制御器１７からの制御信号によって指示された、各掃引検波増幅器１３−１〜１３−ｎが分担する周波数帯域（＃ｎの掃引検波増幅器１３−ｎであればｆn 〜ｆn+1 ）に基づいて周波数掃引発振器３１が発振した掃引信号をミキサ３２に送る。ミキサ３２はこれらＩＦ信号１２と周波数掃引発振器３１からの掃引信号との混合を行う。これによって、ＩＦ信号１２はその分担する周波数帯域（ｆn 〜ｆn+1 ）内で高速に周波数掃引同調され、狭帯域周波数フィルタ３３でフィルタリングされて出力される。
【００２１】
掃引検波増幅器１３−１〜１３−ｎではそれぞれ、この狭帯域周波数フィルタ３３より出力された同期信号を増幅器３４で増幅した後、検波器３５によって検波し、振幅信号１４として分析表示処理器１６に出力する。分析表示処理器１６は各掃引検波増幅器１３−１〜１３−ｎより振幅信号１４が入力されると、それぞれの受信系（スーパーヘテロダイン同調器１１−１〜１１−ｎ、および掃引検波増幅器１３−１〜１３−ｎ）の掃引した周波数を横軸、それに対して受信検波した振幅信号１４のレベルを縦軸とする表示のための表示化の処理を行う。それにより、指示器３には図２に示す周波数スペクトラム分析表示がなされる。すなわち、＃１の受信系ではｆ1 〜ｆ2 の周波数帯域、＃２の受信系ではｆ2 〜ｆ3 の周波数帯域、…、＃ｎの受信系ではｆn 〜ｆn+1 の周波数帯域についての分析結果の表示が行われる。
【００２２】
以上のように、この参考例１によれば、制御器１７を備えて、ｎ個のスーパーヘテロダイン同調器１１−１〜１１−ｎと掃引検波増幅器１３−１〜１３−ｎとを統合化して一括制御し、ｎ系統の受信系で、それぞれが分担する各周波数帯域ｆ1 〜ｆ2 、ｆ2 〜ｆ3 、…、ｆn 〜ｆn+1を連続的に受信し、周波数掃引するようにしているので、広帯域の周波数範囲（ｆ1 〜ｆn+1 ）を分割して、複数の狭帯域の周波数範囲（ｆ1 〜ｆ2 、ｆ2 〜ｆ3 、…、ｆn 〜ｆn+1 ）毎に高速で周波数掃引して、高感度でかつ高検出確率で受信探知することが可能になるという効果が得られる。
【００２３】
参考例２．
図３はこの発明の参考例２による受信装置を示すブロック図であり、相当部分には図１と同一符号を付してその説明を省略する。図において、１８−１，１８−２，…，１８−ｎは各掃引検波増幅器１３−１，１３−２，…，１３−ｎに対応して用意され、対応する掃引検波増幅器１３−１〜１３−ｎの検波器３５より出力される振幅信号１４のレベルが、掃引時に目標検出レベル以上となる周波数値を検出する周波数検出器であり、１９はこれら各周波数検出器１８−１〜１８−ｎより分析表示処理器１６に出力される周波数データである。
【００２４】
次に動作について説明する。
ここで、図４はこの参考例２による受信装置１に接続された指示器３に表示される周波数分析表示例を示す説明図である。この図４において、横軸は周波数であり、縦軸はレベルである。なお、目標検出レベルは一点鎖線にて表示している。以下、この図４および上記図３を参照しながら、この参考例２による受信装置１の動作を説明する。なお、その際、基本的な動作は参考例１の場合と同様であるため、その説明は省略し、参考例１とは異なる部分を中心に説明する。
【００２５】
上記のように、参考例１では、周波数スペクトラム分析表示を広帯域の周波数範囲で実施できるが、探知された信号の周波数値は図２に示す周波数スペクトラム分析表示から読みとる必要がある。そのため、この参考例２においては、図３に示すように、ｎ系統の受信系の各掃引検波増幅器１３−１〜１３−ｎのそれぞれに対応して周波数検出器１８−１〜１８−ｎを用意している。これら各周波数検出器１８−１〜１８−ｎは対応付けられた掃引検波増幅器１３−１〜１３−ｎの検波器３５に接続されており、各検波器３５から出力される振幅信号１４が、図４に示す目標検出レベル以上になる時点を目標検出とし、その掃引時の周波数値ｆA ，ｆB ，…，ｆX を検出する。
【００２６】
各周波数検出器１８−１〜１８−ｎはそれぞれが検出した、目標として探知された信号の受信周波数を、周波数データ１９として分析表示処理器１６に出力する。分析表示処理器１６はこの掃引検波増幅器１３−１〜１３−ｎより入力された周波数データ１９に基づいて、各掃引検波増幅器１３−１〜１３−ｎがそれぞれ分担している周波数帯域ｆ1 〜ｆ2 ，ｆ2 〜ｆ3 ，…，ｆn 〜ｆn+1 毎に、目標として探知された信号の周波数値ｆA ，ｆB ，…，ｆX を表示するための処理を実行する。なお、その際に、これら各周波数検出器１８−１〜１８−ｎでは、掃引検波増幅器１３−１〜１３−ｎより入力された振幅信号１４に基づいて、実施の形態１の場合と同様の手順で周波数スペクトラム分析表示のための表示化処理が行われている。これにより、指示器３には図４に示すように、探知された信号の周波数値ｆA ，ｆB ，…，ｆX が、周波数スペクトラム分析表示とともに自動的に表示される。
【００２７】
以上のように、この参考例２によれば、周波数検出器１８−１〜１８−ｎを用意して、掃引検波増幅器１３−１〜１３−ｎより出力される振幅信号１４のレベルが目標検出レベル以上となる周波数値ｆA ，ｆB ，…，ｆX を検出することにより、周波数スペクトラム分析表示とともに、各周波数検出器１８−１〜１８−ｎが目標として探知された信号の周波数値を自動的に表示することが可能になるという効果が得られる。
【００２８】
実施の形態１．
図５はこの発明の実施の形態１による受信装置を示すブロック図であり、相当部分には図３と同一符号を付してその説明を省略する。図において、１８−１，１８−２，…，１８−ｎは各掃引検波増幅器１３−１，１３−２，…，１３−ｎに対応して用意されて、対応する掃引検波増幅器１３−１〜１３−ｎの検波器３５より出力される振幅信号１４のレベルが、掃引時に目標検出レベル以上となる周波数値を検出する周波数検出器であるが、それより出力される周波数データ１９が分析表示処理器１６ではなく、制御器１７に出力されている点で、図３に同一符号を付して示した参考例２のものとは異なっている。
【００２９】
次に動作について説明する。
ここで、図６はこの実施の形態１の受信装置１に接続された指示器３に表示される周波数分析表示例を示す説明図である。この図６において、横軸は周波数、縦軸はレベルであり、一点鎖線にて目標検出レベルを示している。以下、この図６および上記図５を参照しながら、この実施の形態１による受信装置１の動作を説明する。その際、基本的な動作は参考例２の場合と同様であるため、その説明は省略し、参考例２とは異なる部分を中心に説明する。
【００３０】
上記のように、参考例２では、各周波数検出器１８−１〜１８−ｎで得られた周波数データ１９を分析表示処理器１６に入力することにより、ｎ系統の受信系にて目標として探知された信号の周波数値を周波数スペクトラム分析表示に自動的に表示しているが、探知された信号についてのみ、自動的、かつ詳細に周波数スペクトラム分析表示を行うことは困難である。そのため、この実施の形態１においては、図５に示すように、各受信系の周波数検出器１８−１〜１８−ｎで得られた周波数データ１９を制御器１７に入力する構成としている。これにより、各受信系において探知された信号のみの詳細な周波数スペクトラム分析表示を自動的に行っている。
【００３１】
すなわち、ｎ系統の各周波数検出器１８−１〜１８−ｎは、それぞれが検出した、目標として探知された信号の周波数値ｆA ，ｆB ，…，ｆX による周波数データ１９を制御器１７に出力する。各周波数検出器１８−１〜１８−ｎよりこの周波数データ１９を受け取った制御器１７は、スーパーヘテロダイン同調器１１−１〜１１−ｎに対して制御信号を送り、上記周波数値ｆA ，ｆB ，…，ｆX に応じた同調周波数ｆc1，ｆc2，…，ｆcnを自動的に指示する。その時、制御器１７は掃引検波増幅器１３−１〜１３−ｎにも制御信号を送り、上記同調周波数ｆc1，ｆc2，…，ｆcnの前後の狭い周波数範囲ｆ1 〜ｆ1e，ｆ2 〜ｆ2e，…，ｆn 〜ｆneを高速で周波数掃引するように自動的に指示する。
【００３２】
これにより、スーパーヘテロダイン同調器１１−１〜１１−ｎと掃引検波増幅器１３−１〜１３−ｎとは制御器１７によって統合化して一括制御され、掃引検波増幅器１３−１〜１３−ｎはスーパーヘテロダイン同調器１１−１〜１１−ｎに指示された同調周波数ｆc1，ｆc2，…，ｆcnの前後の狭い周波数範囲ｆ1 〜ｆ1e，ｆ2 〜ｆ2e，…，ｆn 〜ｆneを高速で周波数掃引して、探知された信号の周波数値ｆA ，ｆB ，…，ｆX を検知し、それを振幅信号１４に含めて分析表示処理器１６に送出する。分析表示処理器１６はその振幅信号１４に基づいて、図６に示すように、目標として探知された信号のみについて、詳細な周波数スペクトラム分析表示を高速、かつ高密度検出確率で、指示器３に自動的に表示する。
【００３３】
以上のように、この実施の形態１によれば、ｎ系統の掃引検波増幅器１３−１〜１３−ｎに対応付けられた各周波数検出器１８−１〜１８−ｎの出力する周波数データ１９を制御器１７に入力し、その制御器１７によって、ｎ系統のスーパーヘテロダイン同調器１１−１〜１１−ｎ、および掃引検波増幅器１３−１〜１３−ｎを統合化して一括制御することにより、目標として探知された信号についてのみ、周波数スペクトラム分析表示の詳細表示を、高感度、かつ高密度検出確率で自動的に行うことが可能になるという効果が得られる。
【００３４】
参考例３．
図７はこの発明の参考例３による受信装置を示すブロック図であり、相当部分には図５と同一符号を付してその説明を省略する。図において、１８は掃引検波増幅器１３−１，１３−２，…，１３−ｎの内の１つ（図示の例では掃引検波増幅器１３−１）に対応して１つだけ用意され、対応付けられた掃引検波増幅器１３−１が広帯域で周波数掃引した時に、その検波器３５より出力される振幅信号１４のレベルが目標検出レベル以上となる周波数値を検出し、それを周波数データ１９として制御器１７に出力する周波数検出器である。
【００３５】
次に動作について説明する。
ここで、図８はこの参考例３の受信装置１に接続された指示器３に表示される周波数分析表示例を示す説明図である。この図８において、横軸は周波数、縦軸はレベルであり、一点鎖線にて目標検出レベルを示している。以下、この図８および上記図７を参照しながら、この参考例３による受信装置１の動作を説明する。その際、基本的な動作は実施の形態１の場合と同様であるため、その説明は省略し、実施の形態１とは異なる部分を中心に説明する。
【００３６】
上記のように、参考例２および３では、周波数検出器をｎ個とし、ｎ系統の全ての受信系の掃引検波増幅器１３−１〜１３−ｎに接続することにより、探知された信号のみの詳細な周波数スペクトラム分析表示を行っており、複数の受信系を監視受信系として用いる必要がある。そのため、この参考例３においては、図７に示すように、１つの受信系の掃引検波増幅器１３−１のみに周波数検出器１８を接続し、その周波数データ１９を制御器１７に入力する構成としている。これにより、１つの受信系を広帯域の監視受信系とし、目標として探知された信号のみの詳細な周波数スペクトラム分析表示を自動的に行っている。
【００３７】
すなわち、周波数検出器１８が掃引検波増幅器１３−１に接続されている系統＃１の受信系では、制御器１７からの制御信号により、図８に示すように、受信対象となる広帯域の周波数帯域ｆ1 〜ｆ1eの範囲を掃引検波増幅器１３−１によって広帯域で周波数掃引する。この掃引検波増幅器１３−１の出力は周波数検出器１８に送られ、周波数検出器１８はその振幅信号１４のレベルが目標検出レベル以上となる周波数値を検出し、それによる周波数データ１９を制御器１７に入力する。制御器１７ではこの周波数データ１９に基づいて、その検出された周波数値ｆA ，ｆB ，・・・，ｆX に対してそれぞれ受信系を割り当て、スーパーヘテロダイン同調器１１−１〜１１−ｎの同調周波数ｆc2，ｆc3，・・・，ｆcnを自動的に指示制御する。
【００３８】
また、制御器１７はその時、掃引検波増幅器１３−１〜１３−ｎにも、その同調周波数の前後の狭い周波数範囲を周波数掃引するように掃引検波増幅器１３−１〜１３−ｎに自動的に指示制御する。これにより、図８に示すように、掃引検波増幅器１３−２は周波数範囲ｆ2 〜ｆ2eを、掃引検波増幅器１３−３は周波数範囲ｆ3 〜ｆ3eを、…、掃引検波増幅器１３−ｎは周波数範囲ｆn 〜ｆneを狭帯域で高速に周波数掃引する。各掃引検波増幅器１３−１〜１３−ｎはその結果を振幅信号１４として分析表示処理器１６に送出し、分析表示処理器１６はその振幅信号１４に基づいて、図８に示すように、目標として探知された信号のみについて、詳細な周波数スペクトラム分析表示を高速、かつ高密度検出確率で、指示器３に自動的に表示する。
【００３９】
以上のように、この参考例３によれば、広帯域で周波数掃引している掃引検波増幅器１３−１にのみ周波数検出器１８を接続して、それが出力する周波数データ１９を制御器１７に入力し、その制御器１７によって、ｎ系統のスーパーヘテロダイン同調器１１−１〜１１−ｎ、および掃引検波増幅器１３−１〜１３−ｎを統合化して一括制御することにより、受信系中の１系統を広帯域の監視受信系とし、目標として探知された信号についてのみ、周波数スペクトラム分析表示の詳細表示を、高感度、かつ高密度検出確率で自動的に行うことが可能になるという効果が得られる。
【００４０】
【発明の効果】
以上のように、この発明によれば、スーパーヘテロダイン同調器と掃引検波増幅器を複数系統配列して、それらを制御器で統合化して一括で制御し、その受信検波した複数の振幅信号をまとめて指示器に表示する処理を分析表示処理器にて行うように構成したので、広帯域の周波数範囲を分割して、狭帯域の複数の周波数範囲毎に周波数掃引することが可能となり、広帯域の周波数範囲の受信探知を、高感度、かつ高検出確率で行うことができる受信装置が得られるという効果がある。
また、制御器に各周波数検出器からの周波数データを入力して、探知された信号それぞれの周波数を中心とした狭帯域の周波数掃引を制御するように構成したので、目標として探知された信号のみを、高感度、かつ高密度検出確率で、周波数スペクトラム分析表示の詳細表示を自動的に行うことが可能になるという効果がある。
【図面の簡単な説明】
【図１】  この発明の参考例１による受信装置を示すブロック図である。
【図２】  参考例１における周波数分析表示の一例を示す説明図である。
【図３】  この発明の参考例２による受信装置を示すブロック図である。
【図４】  参考例２における周波数分析表示の一例を示す説明図である。
【図５】  この発明の実施の形態１による受信装置を示すブロック図である。
【図６】  実施の形態１における周波数分析表示の一例を示す説明図である。
【図７】  この発明の参考例３による受信装置を示すブロック図である。
【図８】  参考例３における周波数分析表示の一例を示す説明図である。
【図９】  従来の受信装置を示すブロック図である。
【図１】
0003672834.tif 000002
【図２】
0003672834.tif 000003
【図３】
0003672834.tif 000004
【図４】
0003672834.tif 000005
【図５】
0003672834.tif 000006
【図６】
0003672834.tif 000007
【図７】
0003672834.tif 000008
【図８】
0003672834.tif 000009
【図９】
0003672834.tif 000010